(57)【特許請求の範囲】
【請求項１】
パネル材に形成された開口部に対して開閉可能に支持されたグローブボックスの位置規制構造において、
グローブボックスが閉じられた状態でグローブボックスの後側面と対向するパネル材の後壁面に形成された凹部と、
パンパー本体の一端部に形成され、前記後側面における前記凹部に対応した位置に配置されており、前記凹部と略同一形状の先端を含む係止部と、
前記係止部の前記後壁面と反対側の端部に形成された突状の段差部と、
前記段差部の前記後側面と反対側の端部に載置されるとともに、前記係止部のうち前記段差部を除いた部分の全周を囲むリング形状を有し、且つグローブボックスが閉じられる際に前記係止部の先端が前記凹部に接触する前に前記後壁面に接触する先端を含む弾性部とを有するバンパーラバーとを備えていることを特徴とするグローブボックスの位置規制構造。
【請求項２】
パネル材に形成された開口部に対して開閉可能に支持されたグローブボックスの位置規制構造において、
グローブボックスの後側面に形成された凹部と、
パンパー本体の一端部に形成され、グローブボックスが閉じられた状態でグローブボックスの前記後側面と対向するパネル材の後壁面における前記凹部に対応した位置に配置されており、前記凹部と略同一形状の先端を含む係止部と、
前記係止部の前記後側面と反対側の端部に形成された突状の段差部と、
前記段差部の前記後壁面と反対側の端部に載置されるとともに、前記係止部のうち前記段差部を除いた部分の全周を囲むリング形状を有し、且つグローブボックスが閉じられる際に前記係止部の先端が前記凹部に接触する前に前記後側面に接触する先端を含む弾性部とを有するバンパーラバーとを備えていることを特徴とするグローブボックスの位置規制構造。
【請求項３】
前記係止部の先端及び前記凹部は三角錐形状であることを特徴とする請求項１または２に記載のグローブボックスの位置規制構造。
【請求項４】
パネル材に形成された開口部に対して開閉可能に支持されたグローブボックスの後側面におけるグローブボックスが閉じられた状態でグローブボックスの前記後側面と対向するパネル材の後壁面に形成された凹部に対応した位置に配置されており、パンパー本体の一端部に形成され、前記凹部と略同一形状の先端を含む係止部と、前記係止部の前記後壁面と反対側の端部に形成された突状の段差部と、前記段差部の前記後側面と反対側の端部に載置されるとともに、前記係止部のうち前記段差部を除いた部分の全周を囲むリング形状を有し、且つグローブボックスが閉じられる際に前記係止部の先端が前記凹部に接触する前に前記後壁面に接触する先端を含む弾性部を有することを特徴とするバンパーラバー。
【請求項５】
パネル材に形成された開口部に対して開閉可能に支持されたグローブボックスが閉じられた状態でグローブボックスの後側面と対向するパネル材の後壁面におけるグローブボックスの後側面に形成された凹部に対応した位置に配置されており、パンパー本体の一端部に形成され、前記凹部と略同一形状の先端を含む係止部と、前記係止部の前記後側面と反対側の端部に形成された突状の段差部と、前記段差部の前記後壁面と反対側の端部に載置されるとともに、前記係止部のうち前記段差部を除いた部分の全周を囲むリング形状を有し、且つグローブボックスが閉じられる際に前記係止部の先端が前記凹部に接触する前に前記後壁面に接触する先端を含む弾性部を有することを特徴とするバンパーラバー。
【請求項６】
前記係止部の先端及び前記凹部は三角錐形状であることを特徴とする請求項４または５に記載のバンパーラバー。
【発明の詳細な説明】
【技術分野】
【０００１】
本発明は、自動車のインストルメントパネルに開閉可能に設けられたグローブボックスの位置規制構造及びこれに用いられるバンパーラバーに関するものである。
【背景技術】
【０００２】
自動車のインストルメントパネルにはグローブボックスが設けられているのが一般的であり、パネルにはグローブボックスを収納可能な大きさの開口部を有している。そして、グローブボックスは、開口部の下端部に配置されたヒンジを中心に回動することにより開閉可能になっている。ここで、グローブボックスの後側面には、グローブボックスを閉じる際の衝撃を緩和するためのバンパーラバーが取り付けられていることが多い（例えば、特許文献１参照）。
【０００３】
従来のバンパーラバーの一例であるバンパーラバー１３０は、図４に示すように、弾性を有する略三角錐形状のラバー部１３４と取り付け部１３３とを有しており、取り付け部１３３がグローブボックス１１０の後側面１１４に形成された取り付け穴１１４ａに嵌挿されることによりグローブボックス１１０の後側面１１４に取り付けられている。ここで、グローブボックス１１０が閉じられる際には、ラバー部１３４の先端が開口部１０２（図５参照）の後壁面１０５に向かって移動し、グローブボックス１１０が完全に閉じられる前に後壁面１０５に接触する。従って、グローブボックス１１０を閉じる際の衝撃が緩和される。
【０００４】
また、グローブボックス１１０が閉じられた状態において、グローブボックス１１０の両側面１１２、１１３と開口部１０２の両側壁面１０３、１０４との間に形成される隙間が不均一である場合には著しく見栄えが悪くなってしまう。そこで、従来は、図５に示すように、開口部１０２に対するグローブボックス１１０の位置決めを行うために、閉じられたグローブボックス１１０の両側面１１２、１１３とそれぞれ接触する突起１０３ａ、１０４ａが開口部１０２の両側壁面１０３、１０４に形成されている。従って、閉じられたグローブボックス１１０の両側面１１２、１１３と両側壁面１０３、１０４との間に形成される隙間が均一になって、見栄えの向上を図ることができる。
【特許文献１】特開２００１−３１１３５７号公報（図１）
【発明の開示】
【発明が解決しようとする課題】
【０００５】
上述したように、両側壁面１０３、１０４に突起１０３ａ、１０４ａを形成することで、グローブボックス１１０の両側面１１２、１１３と両側壁面１０３、１０４との間に形成される隙間を均一にすることはできるが、一方、その隙間から突起１０３ａ、１０４ａが見えることにより見栄えを損なう場合がある。また、両側壁面１０３、１０４に突起１０３ａ、１０４ａが形成されている場合には、グローブボックス１１０を閉じる際に、その両側面１１２、１１３と両側壁面１０３、１０４の突起１０３ａ、１０４ａとが接触することにより打撃音が発生することがある。そして、この打撃音の発生を防止するためには、インストルメントパネル及びグローブボックスの製造に厳しい寸法管理が要求される。
【０００６】
そこで、本発明の主な目的は、見栄えの向上を図ると共に、寸法管理が容易になるグローブボックスの位置規制構造及びこれに用いられるバンパーラバーを提供することである。
【課題を解決するための手段および発明の効果】
【０００７】
本発明のグローブボックスの位置規制構造は、パネル材に形成された開口部に対して開閉可能に支持されたグローブボックスの位置規制構造において、グローブボックスが閉じられた状態でグローブボックスの後側面と対向するパネル材の後壁面に形成された凹部と、パンパー本体の一端部に形成され、前記後側面における前記凹部に対応した位置に配置されており、前記凹部と略同一形状の先端を含む係止部と、前記係止部の前記後壁面と反対側の端部に形成された突状の段差部と、前記段差部の前記後側面と反対側の端部に載置されるとともに、前記係止部のうち前記段差部を除いた部分の全周を囲むリング形状を有し、且つグローブボックスが閉じられる際に前記係止部の先端が前記凹部に接触する前に前記後壁面に接触する先端を含む弾性部とを有するバンパーラバーとを備えていることを特徴としている。
【０００８】
本発明のグローブボックスの位置規制構造は、パネル材に形成された開口部に対して開閉可能に支持されたグローブボックスの位置規制構造において、グローブボックスの後側面に形成された凹部と、パンパー本体の一端部に形成され、グローブボックスが閉じられた状態でグローブボックスの前記後側面と対向するパネル材の後壁面における前記凹部に対応した位置に配置されており、前記凹部と略同一形状の先端を含む係止部と、前記係止部の前記後側面と反対側の端部に形成された突状の段差部と、前記段差部の前記後壁面と反対側の端部に載置されるとともに、前記係止部のうち前記段差部を除いた部分の全周を囲むリング形状を有し、且つグローブボックスが閉じられる際に前記係止部の先端が前記凹部に接触する前に前記後側面に接触する先端を含む弾性部とを有するバンパーラバーとを備えていることを特徴としている。
【０００９】
本発明のバンパーラバーは、パネル材に形成された開口部に対して開閉可能に支持されたグローブボックスの後側面におけるグローブボックスが閉じられた状態でグローブボックスの前記後側面と対向するパネル材の後壁面に形成された凹部に対応した位置に配置されており、パンパー本体の一端部に形成され、前記凹部と略同一形状の先端を含む係止部と、前記係止部の前記後壁面と反対側の端部に形成された突状の段差部と、前記段差部の前記後側面と反対側の端部に載置されるとともに、前記係止部のうち前記段差部を除いた部分の全周を囲むリング形状を有し、且つグローブボックスが閉じられる際に前記係止部の先端が前記凹部に接触する前に前記後壁面に接触する先端を含む弾性部を有することを特徴としている。
【００１０】
本発明のバンパーラバーは、パネル材に形成された開口部に対して開閉可能に支持されたグローブボックスが閉じられた状態でグローブボックスの後側面と対向するパネル材の後壁面におけるグローブボックスの後側面に形成された凹部に対応した位置に配置されており、パンパー本体の一端部に形成され、前記凹部と略同一形状の先端を含む係止部と、前記係止部の前記後側面と反対側の端部に形成された突状の段差部と、前記段差部の前記後壁面と反対側の端部に載置されるとともに、前記係止部のうち前記段差部を除いた部分の全周を囲むリング形状を有し、且つグローブボックスが閉じられる際に前記係止部の先端が前記凹部に接触する前に前記後壁面に接触する先端を含む弾性部を有することを特徴としている。
【００１１】
これらの構成によると、バンパーラバーは、その弾性部が係止部の先端が凹部に接触する前に後壁面または後側面に接触することによって本来の緩衝機能を有すると共に、その係止部の先端が凹部に嵌合されることによってグローブボックスの位置規制機能を有している。従って、グローブボックスは、バンパーラバーの位置規制機能により開口部内で適正に位置決めされるので、グローブボックスの両側面とインストルメントパネルの開口部の両側壁面との間に形成される隙間を均一にするために、開口部の両側壁面に突起を形成する必要がなくなり、見栄えの向上を図ることができる。また、グローブボックスの位置規制の度合は、係止部の先端と凹部との嵌合量を変化させることで（厳しくすることも緩やかにすることも）容易に変更可能であり、インストルメントパネル及びグローブボックスの製造での寸法管理が容易になる。
さらに、これらの構成によると、グローブボックスが閉じられる際の衝撃が比較的大きい場合であっても、その衝撃を確実に緩和することができる。
加えて、これらの構成によると、弾性部を係止部に対して直接且つ一体的に設けることができるので、係止部と弾性部との相対的な位置決めを容易に実現でき、係止部の位置決め精度（寸法精度）を向上させることができる。その結果、バンパーラバーの緩衝機能の向上や、グローブボックスの位置規制機能の向上や、インストルメントパネル及びグローブボックスの製造での寸法管理精度の向上を図ることができる。
【００１２】
本発明のグローブボックスの位置規制構造において、前記係止部の先端及び前記凹部は三角錐形状であってもよい。
【００１３】
本発明のバンパーラバーにおいて、前記係止部の先端及び前記凹部は三角錐形状であってもよい。
【００１４】
この構成によると、係止部が凹部内に嵌合することによってグローブボックスの位置規制を確実に行うことができる。
【発明を実施するための最良の形態】
【００１８】
以下、本発明の好適な実施の形態について、図面を参照しつつ説明する。図１は、本発明の実施の形態に係るグローブボックスの位置規制構造を備えたインストルメントパネルの斜視図である。図２は、閉じられたグローブボックスの水平断面図である。図３は、バンパーラバーの構成を示す図である。
【００１９】
インストルメントパネル１には、図１に示すように、グローブボックス１０を収納可能な大きさの開口部２が形成されている。グローブボックス１０は開口部２の下端部に配置されたヒンジ（図示しない）を中心に回動することにより開閉可能になっている。グローブボックス１０は、前側面１１と、左側面１２と、右側面１３と、後側面１４とで囲まれる収納部を有している。また、グローブボックス１０の後側面１４の両端部近傍には、グローブボックス１０を閉じる際の衝撃を緩和するためのバンパーラバー３０が取り付けられている。
【００２０】
インストルメントパネル１の開口部２は、図２に示すように、グローブボックス１０の収納部とほぼ同じ大きさの略矩形状の領域を有しており、その左右両側には側壁面３、４が配置され、その奥側にはグローブボックス１０が閉じられた状態で後側面１４と対向する後壁面５が配置されている。つまり、グローブボックス１０が閉じられた状態では、左側面１２及び右側面１３が側壁面３、４にそれぞれ対向し、後側面１４が後壁面５に対向する。ここで、後壁面５におけるグローブボックス１０の後側面１４に取り付けられたバンパーラバー３０に対応した位置には、略三角錐形状の凹部５ａが形成されている。
【００２１】
バンパーラバー３０は、図３に示すように、バンパー本体３１と、ラバー部３４とを有している。バンパー本体３１は、例えばポリプロピレン、ＡＢＳ、ナイロン、ポリアセタール等の樹脂製の部材であり、ラバー部３４は、例えば天然ゴム又はクロロプレンゴム等の合成ゴム等の弾性を有する材料で形成された部材である。
【００２２】
バンパー本体３１の一端部には係止部３２が形成されており、他端部には取り付け部３３が形成されている。そして、取り付け部３３が、グローブボックス１０の後側面１４に形成された取り付け穴１４ａに嵌挿されることにより、バンパーラバー３０が後側面１４に取り付けられる。
【００２３】
また、係止部３２の先端は凹部５ａと同一形状である略三角錐形状である。ここで、係止部３２の先端の略三角錐形状部分の高さは凹部５ａの深さと同じであってもよいし、凹部５ａの深さより高くてもよい。つまり、少なくとも係止部３２の先端が凹部５ａの内面に隙間なく接触するように構成されている。
【００２４】
ラバー部３４は、係止部３２の周囲に配置されており、係止部３２の全周を囲むリング形状である。また、ラバー部３４の先端は係止部３２の先端と同一面上に配置されている。ここで、グローブボックス１０が閉じられる際には、係止部３２の先端が凹部５ａに向かって移動すると共に、ラバー部３４の先端が後壁面５の凹部５ａの周囲に向かって移動する。このとき、ラバー部３４の先端は、係止部３２の先端が凹部５ａに接触する前に後壁面５に接触する。つまり、まず最初に、ラバー部３４の先端が後壁面５の凹部５ａの周囲に接触し、その後、ラバー部３４の先端近傍が湾曲しつつ係止部３２の先端が凹部５ａに向かって移動すると、係止部３２の先端が凹部５ａの内面に隙間なく接触するようになる。
【００２５】
そして、図２に示すように、グローブボックス１０の両端部近傍に取り付けられたバンパーラバー３０の係止部３２の先端が凹部５ａの内面にそれぞれ隙間なく接触すると、インストルメントパネル１の開口部２に対するグローブボックス１０の位置決めが行われる。そのため、グローブボックス１０の左側面１２と開口部２の側壁面３との間に形成される隙間、及び、グローブボックス１０の右側面１３と開口部２の側壁面４との間に形成される隙間は均一になる。
【００２６】
以上説明したように、本実施の形態のグローブボックス１０の位置規制構造では、バンパーラバー３０が、その弾性部３４が係止部３２の先端が凹部５ａに接触する前に後壁面５に接触することによって本来の緩衝機能を有すると共に、その係止部３２の先端が凹部５ａに嵌合されることによってグローブボックス１０の位置規制機能を有している。従って、グローブボックス１０は、バンパーラバー３０の位置規制機能により開口部２内で適正に位置決めされるので、グローブボックス１０の両側面１２、１３とインストルメントパネル１の開口部２の側壁面３、４との間に形成される隙間を均一にするために、開口部２の側壁面３、４に突起を形成する必要がなくなり、見栄えの向上を図ることができる。また、グローブボックス１０の位置規制の度合は、係止部３２の先端と凹部５ａとの嵌合量を変化させることで（厳しくすることも緩やかにすることも）容易に変更可能であり、インストルメントパネル１及びグローブボックス１０の製造での寸法管理が容易になる。
【００２７】
また、バンパーラバー３０の係止部３２の先端及び後壁面５の凹部５ａが略三角錐形状であるので、係止部３２の先端が凹部５ａ内に嵌合することによってグローブボックス１０の位置規制を確実に行うことができる。また、バンパーラバー３０の弾性部３４は係止部３２の全周を囲むリング形状であるので、グローブボックス１０が閉じられる際の衝撃が比較的大きい場合であっても、その衝撃を確実に緩和することができる。
【００２８】
以上、本発明の好適な一実施の形態について説明したが、本発明は上述の実施の形態に限られるものではなく、特許請求の範囲に記載した限りにおいて様々な設計変更が可能なものである。例えば、上述の実施の形態では、凹部がインストルメントパネルの後壁面に形成され、バンパーラバーがグローブボックスの後側面に取り付けられているが、凹部がグローブボックスの後側面に形成され、バンパーラバーがインストルメントパネルの後壁面に取り付けられてもよい。また、バンパーラバー３０の係止部３２の先端及び後壁面５の凹部５ａは、略三角錐形状に限られず、それらの形状は変更可能である。また、バンパーラバー３０の弾性部３４は、係止部３２の全周を囲むリング形状に限られず、係止部３２の全周の一部分だけに配置されてもよい。
【図面の簡単な説明】
【００２９】
【図１】本発明の実施の形態に係るグローブボックスの位置規制構造を備えたインストルメントパネルの斜視図である。
【図２】閉じられたグローブボックスの水平断面図である。
【図３】バンパーラバーの構成を示す図である。
【図４】従来のバンパーラバーの構成を示す図である。
【図５】従来のバンパーラバーが取り付けられたグローブボックスの水平断面図である。
【符号の説明】
【００３０】
１  インストルメントパネル
２  開口部
５  後壁面
５ａ  凹部
１０  グローブボックス
１４  後側面
３０  バンパーラバー
３２  係止部
３４  ラバー部
【図１】
0004628950.tif 000002
【図２】
0004628950.tif 000003
【図３】
0004628950.tif 000004
【図４】
0004628950.tif 000005
【図５】
0004628950.tif 000006